(57)【要約】【課題】  ユーザーが容易に駆動装置をレンズ鏡筒から着脱することを可能にしたレンズ装置を提供する。【解決手段】  レンズ装置は、可動光学要素と、前記可動光学要素を駆動するための光軸周りで回転する操作環と、を有するレンズ鏡筒と、前記レンズ鏡筒に着脱可能であって、前記操作環と係合して、前記可動光学要素を電動駆動する駆動装置と、を有し、前記レンズ鏡筒と前記駆動装置との間で、互いに通信するための通信部を備え、前記通信部の光軸方向の位置は、前記レンズ鏡筒と前記駆動装置が互いに接続された状態において、前記駆動装置の最も像側に配置された操作手段より被写体側であって、前記駆動装置が前記レンズ鏡筒の外周面の一部を覆っている部分に配置される、ことを特徴とする。【選択図】  図２
2015200715.tif 000002
【特許請求の範囲】
【請求項１】
可動光学要素と、前記可動光学要素を駆動するための、光軸周りで回転する操作環と、を有するレンズ鏡筒と、
前記レンズ鏡筒に着脱可能であって、前記操作環と係合して、前記可動光学要素を電動駆動する駆動装置と、
を有し、
前記レンズ鏡筒と前記駆動装置との間で、互いに通信するための通信部を備え、
前記通信部の光軸方向の位置は、前記レンズ鏡筒と前記駆動装置が互いに接続された状態において、前記駆動装置の最も像側に配置された操作手段より被写体側であって、前記駆動装置が前記レンズ鏡筒の外周面の一部を覆っている部分に配置される、
ことを特徴としたレンズ装置。
【請求項２】
前記レンズ鏡筒と前記駆動装置は、光軸方向に離間した複数の締結部で互いに締結され、
前記通信部の光軸方向の位置は、前記レンズ鏡筒と前記駆動装置が互いに接続された状態において、最も像側に配置された前記締結部の位置と最も被写体側に配置された前記締結部の位置との間の範囲と少なくとも一部が重なる、
ことを特徴とする請求項１に記載のレンズ装置。
【請求項３】
前記可動光学要素は開口絞りを含み、前記操作環は該開口絞りの開口径を操作するためのアイリス操作環を含み、
前記通信部の光軸方向の位置は、前記レンズ鏡筒と前記駆動装置が互いに接続された状態において、前記アイリス操作環より像側に配置される、
ことを特徴とした、請求項１又は２に記載のレンズ装置。
【請求項４】
前記可動光学要素はフォーカスレンズ群を含み、前記操作環は該フォーカスレンズ群を光軸方向に移動するためのフォーカス操作環を含み、
前記通信部の光軸方向の位置は、前記レンズ鏡筒と前記駆動装置が互いに接続された状態において、前記フォーカス操作環より像側に配置される、
ことを特徴とした、請求項１乃至３のいずれか１項に記載のレンズ装置。
【請求項５】
前記可動光学要素はズームレンズ群であり、前記操作環は該ズームレンズ群を光軸方向に移動するためのズーム操作環であり、
前記通信部の光軸方向の位置は、前記レンズ鏡筒と前記駆動装置が互いに接続された状態において、前記ズーム操作環より像側に配置される、
ことを特徴とした、請求項１乃至４のいずれか１項に記載のレンズ装置。
【請求項６】
前記通信部は、接触式の通信部であることを特徴とする請求項１乃至５のいずれか１項に記載のレンズ装置。
【請求項７】
前記通信部は、非接触式の通信部であることを特徴とする請求項１乃至６のいずれか１項に記載のレンズ装置。
【請求項８】
請求項１乃至７のいずれか１項に記載のレンズ装置と、該レンズ装置からの光を受光する撮像素子と、を有する撮像装置。
【発明の詳細な説明】
【技術分野】
【０００１】
本発明はレンズ装置、特にレンズを駆動する駆動装置の着脱可能なレンズ装置及びそれを有する撮像装置に関するものである。
【背景技術】
【０００２】
プロ用途の動画撮影に用いられるレンズでは、人の手では困難な超低速ズームや固定画角のショット撮影を円滑に行う為に、レンズの諸操作を電動駆動できる駆動装置が付設されている事が一般的である。しかし、レンズの使用方法が多様化した昨今、シネマ用途の使い方の様にレンズ単独で運用する形態も生じる為、レンズの駆動装置はレンズに固定されているだけでなく、着脱自在に使用できる構造とすることに対する要求が高くなっている。駆動装置がレンズ対して着脱自在な構造としては以下が開示されている。
【０００３】
例えば特許文献１では、レンズのズームやアイリスによる光量を操作可能な駆動装置であるドライブユニットと、レンズのフォーカスを操作可能な着脱自在のドライブユニットを備えたレンズ装置を開示している。
【先行技術文献】
【特許文献】
【０００４】
【特許文献１】特開平８−９２０７号公報
【発明の概要】
【発明が解決しようとする課題】
【０００５】
しかしながら、昨今の機材のダウンサイジングの要求を鑑みると、駆動装置に供給される電源や、レンズ操作に付随する各種検出系からの出力を授受する為の、レンズと駆動装置との通信手段として直接レンズとの情報通信を行うことが必要となる。上記に示した特許文献1は、着脱自在の駆動装置が直接レンズとの情報通信を行うことは出来ず、更に電源を外部から供給する必要があるためレンズ装置のダウンサイジングは困難である。
【０００６】
また、一般にレンズと駆動装置を直接通信する構造として、図６に示すレンズ１と駆動装置２をケーブル３で接続する構造が知られている。この構造は図６(ａ)に示すように、レンズ１に対して駆動装置２を不図示の螺子を使用し締結部４で螺合することで固定される。また、レンズ１と駆動装置２の間を情報通信するために、ケーブル３で駆動装置２からレンズに１に接続される。ユーザーが使用する際は、外部に露出するケーブル３を保護する必要があるため、図６（ｂ）に示す保護部材５は不図示の螺子でレンズ１に固定している。従って、レンズ１に対して固定された駆動装置２を取り外す為には、保護部材５を固定している不図示の螺子を外し、ケーブル３をレンズ１から外す。続いて、締結部４の不図示の螺子を外すことで、レンズ１から駆動装置２を取り外すことが可能となる。しかしながら、この構造の場合には駆動装置２を着脱するための工程が多く、ケーブル３を外す際、断線の可能性を含んでいるため、ユーザーが容易に着脱することできない。
【０００７】
そこで、ケーブル３を使用せずレンズ１と駆動装置２を直接通信する構造として、図７、図８に示す、レンズ６と駆動装置７を接点８ａ、９ａで通信する構造が考えられる。この構造は、レンズ６に対して駆動装置７を不図示の螺子を使用し、締結部１０で螺合することで固定される。また、レンズ６と駆動装置７の間を直接通信するために、通信部８、９を備える。通信部８、９は図８（ｂ）に示すように、レンズ６側の接点８ａと駆動装置７側の接点９ａが接することで、情報通信と駆動装置への電源の供給が可能となる。更に、ユーザーが駆動装置７をレンズ６から取り外す際は、締結部１０の不図示の螺子を外すことで容易に取り外すことが可能となる。しかしながら、この駆動装置７の構造だと、図９に示すように駆動装置７を単独で使用している状態でユーザーが落としてしまうと、通信部９に局所的に荷重が加わりやすく耐衝撃性に不利である。また一般にユーザーが撮影する際、駆動装置７を手で支え操作部１１の面を親指で操作する。このような場面で、操作部１１の面に通信部９が露出するように配置されると、操作時にユーザーの親指が露出部に当るため操作性が悪くなる。更に、シールド、静電気、防塵性、防滴性も低い構造となる。
【０００８】
そこで本発明の目的は、ユーザーが容易にレンズから駆動装置を着脱し、更に耐衝撃性、操作性、シールド性、耐静電気性、耐防塵性、耐防滴性を鑑みたレンズ駆動装置着脱構造を有するレンズ装置及びそれを有する撮像装置を提供することである。
【課題を解決するための手段】
【０００９】
上記目的を達成するために、本発明のレンズ装置は、可動光学要素と、前記可動光学要素を駆動するための光軸周りで回転する操作環と、を有するレンズ鏡筒と、前記レンズ鏡筒に着脱可能であって、前記操作環と係合して、前記可動光学要素を電動駆動する駆動装置と、を有し、前記レンズ鏡筒と前記駆動装置との間で、互いに通信するための通信部を備え、前記通信部の光軸方向の位置は、前記レンズ鏡筒と前記駆動装置が互いに接続された状態において、前記駆動装置の最も像側に配置された操作手段より被写体側であって、前記駆動装置が前記レンズ鏡筒の外周面の一部を覆っている部分に配置される、ことを特徴とする。
【発明の効果】
【００１０】
本発明によれば、ユーザーが容易に駆動装置をレンズ鏡筒から着脱することを可能にし、更に耐衝撃性、操作性、シールド性、耐静電気性、耐防塵性、耐防滴性を高めることを可能にしたレンズ装置及びそれを有する撮像装置を提供することができる。
【図面の簡単な説明】
【００１１】
【図１】本発明の実施例１におけるレンズ装置の視斜図
【図２】本発明の実施例１におけるレンズ装置の詳細図
【図３】本発明の実施例１におけるレンズ装置におけるレンズ駆動装置着脱構造の着脱状態を示す図
【図４】本発明の実施例１におけるレンズ装置の駆動装置への落下衝撃を示す図
【図５】本発明の実施例２におけるレンズ装置の詳細図
【図６】従来のレンズと駆動装置との間をケーブルにて直接通信する構造を示す斜視図
【図７】従来のレンズと駆動装置との間を接点にて直接通信する構造を示す斜視図
【図８】従来のレンズと駆動装置との間を接点にて直接通信する構造を示す詳細図
【図９】従来のレンズ装置の駆動装置への落下衝撃を示す図
【発明を実施するための形態】
【００１２】
以下に、本発明の好ましい実施の形態を、添付の図面に基づいて詳細に説明する。
【実施例１】
【００１３】
図１は本発明の実施例１のレンズ装置におけるレンズ駆動装置着脱構造の視斜図、図２は本発明の実施例１のレンズ装置におけるレンズ駆動装置着脱構造の詳細図である。また、図３は本発明の実施例１のレンズ装置におけるレンズ駆動装置着脱構造の着脱状態を示す図、図４は本発明の実施例１のレンズ装置における駆動装置への落下衝撃を示す図である。
【００１４】
図１、図２を参照して、レンズ装置の概略を説明する。
【００１５】
本実施例のレンズ駆動装置着脱構造は、レンズ鏡筒１２、レンズ鏡筒１２に着脱可能であってレンズ鏡筒１２を電動駆動するための駆動装置１３、レンズ鏡筒１２と駆動装置１３との間で通信するための接点１４ａ、１５ａを備えた通信部１４、１５から成る。レンズ鏡筒１２はフォーカス操作環１６ａを光軸周りで回動することで不図示のフォーカスレンズ群（可動光学要素）が光軸方向に移動しフォーカス調整がなされる。ズーム操作環１６ｂを光軸周りで回動することで不図示のズームレンズ群（可動光学要素）が光軸方向に移動しズーム調整がなされる。また、アイリス操作環１６ｃを光軸周りで回動することで開口絞り（可動光学要素）の開口径が変化し光量を調整できる構造となっている。また、フランジバック操作環１７または、マクロ操作環１８を回動することにより、図示しない移動レンズ群が光軸方向に移動し撮像素子までの合焦距離が調整される。
【００１６】
締結部１９に挿入された不図示の螺子を、レンズ鏡筒１２の外周面の対応する位置に配設されたネジ穴３０（図３）に螺合することにより、駆動装置１３はレンズ鏡筒１２に固定される。更に、駆動装置１３の内部には各操作環１６を駆動するための不図示の駆動用モータ及び、各操作環１６の回転位置を検出する不図示の位置検出手段が配設される。駆動用モータは不図示のギアに接続されている。ギアは駆動装置１３から露出していて、駆動装置１３がレンズ鏡筒１２に接続されると、レンズ鏡筒１２の各操作環１６に係合する。駆動装置１３の外装部には各種スイッチ類である操作部２０が備えられ、操作部２０を操作することで内部のモータを駆動し、各操作環１６を回転駆動させることが可能となっている。
【００１７】
次に通信部１４、１５に関して説明する。
【００１８】
レンズ鏡筒１２と駆動装置１３の間の電気的な信号或いは電力の授受は、通信部１４、１５を介して行われる。レンズ鏡筒１２側の通信部１４は、光軸方向において、操作環の中で最も像側に配置されているフランジバック操作環１７及びマクロ操作環１８より被写体側、且つ、次いで像側に配置されているアイリス操作環１６ｃより像側に配置される。また、レンズ鏡筒１２の外装面から駆動装置１３と接続する側に露出するように通信部１４が配設される。駆動装置１３の通信部１５は、光軸方向において、駆動装置１３の最も像側に配置された操作部２０より被写体側であって、且つ、駆動装置１３をレンズ鏡筒１２と締結するための複数の締結部１９の配設範囲と光軸方向の位置が重なるように配置される。また図２（ａ）のＡ視図である図２（ｃ）に示すように、通信部１５は駆動装置１３においては内周面（ハッチング部、レンズ鏡筒１２との接続時のレンズと対面する側の面）に配され、レンズ鏡筒１２側に露出する。すなわち、通信部の光軸方向における位置は、レンズ鏡筒１２と駆動装置１３が互いに接続された状態において、駆動装置１３がレンズ鏡筒１２の外周面の一部を覆っている部分に互いの接点を有するように配置される。レンズ鏡筒１２に対して駆動装置１３を固定した際の、通信部１４、１５の状態を図２（ｂ）に示す。図２（ｂ）に示すようにレンズ鏡筒１２側の接点１４ａと駆動装置１３側の接点１５ａが接することで、レンズ鏡筒１２と駆動装置１３との間の情報通信が可能となり、また、レンズ鏡筒１２から駆動装置１３への電源の供給が可能となる。また、通信部１４、１５は固定状態において、レンズ鏡筒１２の筐体１２ａ、駆動装置１３の筐体１３ａにてシールドされた状態となる。
【００１９】
以上が、本実施例でのレンズ装置の構成である。
【００２０】
次にレンズ鏡筒１２から駆動装置１３を取り外す方法について説明する。図３に示すように、締結部１９をレンズ鏡筒１２に締結している、不図示の螺子を外すことで、レンズ鏡筒１２に対して駆動装置１３の固定が解除される。続いて、レンズ鏡筒１２と駆動装置１３を互いに離れる方向に離すことで、駆動用モータのギアと各操作環１６との係合部、通信部１４、１５の情報通信、電源供給の接点が離間して接続が解除される。これにより、図３に示すようにレンズ鏡筒１２から駆動装置１３が独立した状態になる。レンズ鏡筒１２に対して駆動装置１３を取り付ける際は、逆の手順で実施すれば可能となる。従って、着脱に要する工程が簡単であるため、ユーザーが容易にレンズ鏡筒１２から駆動装置１３を着脱することが可能となる。更に、通信部１４、１５にケーブルを使用しない構造のため、着脱時の断線の恐れは無い。つまりは、通信部を接点構造にすることで着脱容易性と通信部の信頼性を得ることが可能となる。
【００２１】
本発明のレンズ装置は、通信部１５の光軸方向における位置を、接続した状態において、撮像素子側の操作部２０より被写体側に配置される。さらに、通信部１５の光軸方向における位置を、光軸方向に離間して配置された複数の締結部１９の配置範囲と重なる位置としている。また、通信部１５をレンズ鏡筒１２と駆動装置１３の接続時の、駆動装置１３の内周面（ハッチング部、レンズ鏡筒１２との接続時のレンズ鏡筒１２と対面する面、駆動装置１３側においては凹面上）に配置している。本発明のこの効果について、図２、図４を参照に説明する。図４（ａ）のように駆動装置１３単独の状態でユーザーが落としても、通信部１５内での光軸方向の位置を、レンズ鏡筒１２との接続時には最も撮像素子側となる操作部２０より被写体側であって、且つ光軸方向に離間して配置された複数の締結部１９の配置範囲と重なるように配置しているため、通信部１５に局所的に荷重が加わらない配置構造である。更に、図４（ｂ）のように落としても、通信部１５は駆動装置１３の内周面（ハッチング部、レンズ鏡筒１２との接続時のレンズと対面する側の面、すなわち凹面部）に配置されているため、通信部１５に局所的に荷重が加わりにくい配置構造となり、耐衝撃性が有利となる。また、駆動装置１３側の通信部１５の光軸方向の位置を光軸方向に離間して配置された複数の締結部１９の配置範囲と重なるように配置しているため、接点１４ａ、１５ａが最も確実に押圧され、使用中に接点が離間しにくい構造となっている。さらに、この構造により、レンズ鏡筒１２と駆動装置１３を互いに締結、接続する際に、互いの位置の微調整のために発生する可能性のある接点の位置における「こじれ」も、光軸方向に離間して配置された複数の締結部１９の配置範囲と重なるように通信部が位置しているため、モーメントがかかりにくく、接点を損傷する可能性も低くなる。また、図１、図２に示すように通信部１５は操作部２０の面から突出せず、駆動装置１３の内部におさまる構造のため、ユーザーが操作部２０を操作する際に通信部１５が干渉することは無く、操作性が向上する。更に、通信部１４、１５はレンズ鏡筒１２と駆動装置１３の筐体１２ａ、１３ａに覆われた状態となるため、シールド性、耐静電気性、耐防塵性、耐防滴性が向上する。
【００２２】
次にレンズ鏡筒１２側の通信部１４の光軸方向の位置をアイリス操作環１６ｃより撮像素子側に配置することでの効果について、図２を参照しながら説明する。アイリス操作環１６より被写体側に通信部１４を配置した場合には、一般に通信部１４までのアクセスはレンズ１２内部を通る図示しない配線で行う。そのため各操作環１６が回動した際、配線が干渉しないように各操作環１６の一部を切欠く必要が生じる。更には、図示しない切欠き部を通じて、各操作環１６の図示しない摺動部のグリスが飛散する可能性を含む。しかし、本構造のように通信部１４の光軸方向の位置をアイリス操作環１６ｃより撮像素子側に配置することで、各操作環１６を切欠く必要は無いため、グリスの飛散は生じず、レンズの品質が向上する。
【実施例２】
【００２３】
図５は本発明の実施例２におけるレンズ駆動装置着脱構造の詳細図である。本実施例は、実施例１に対して、通信部１４、１５を通信部２１、２２としたもので、通信部２１、２２は非接触式構造であるセンサ２１、２２を使用した構造である。その他の構成については実施例１と同様である。以下、実施例１と異なる部分についてのみ説明を行い、その他の同一部分については同一符号を付し、説明を省略する。
【００２４】
通信部２１、２２に関し図５を参照にして説明する。レンズ鏡筒１２に対して駆動装置１３を固定した際の通信部２１、２２の状態を図５（ｂ）に示す。レンズ鏡筒１２側のセンサ２１ａと駆動装置１３側のセンサ２２ａが対向するように配置され、レンズ鏡筒１２と駆動装置１３との間を相互に情報通信、駆動装置１３への電源の供給が行うことが可能となる。
【００２５】
以上のような構成とすることで第一の実施例で得られる効果に加え、非接触で情報の通信、電源の供給が可能となるため、通信部の耐摩耗性が向上する。更に、接点構造よりも防滴性が向上し、通信部にゴミを挟んでも電気ショートする可能性ない。
【００２６】
例えば、本実施例では、駆動装置の通信部の光軸方向位置を締結部と重なる位置に配置したが、締結部の間に配置しても構わない。また、本実施例では通信部を情報通信と電源の供給の双方が可能であったが、情報通信のみでも構わない。また、本実施例では接点構造と非接触式構造を独立して使用したが、接点構造と非接触構造を併用しても構わない。
【００２７】
また、上記で例示した実施例のレンズ装置と、該レンズ装置からの被写体光を受光する撮像素子を有するカメラ装置とを含む撮像装置によって、本発明のレンズ装置の効果を享受できる撮像装置を実現することができる。
【００２８】
以上、本発明の好ましい実施形態について説明したが、本発明はこれらの実施形態に限定されず、その要旨の範囲内で種々の変形及び変更が可能である。
【符号の説明】
【００２９】
１２  レンズ
１３  駆動装置
１４、１５、２１、２２  通信部
１４ａ、１５ａ、２１ａ、２２ａ  接点
１１、２０  操作部
１２ａ、１３ａ  筐体
１６  各操作環
１６ａ  フォーカス操作環
１６ｂ  ズーム操作環
１６ｃ  アイリス操作環
【図１】
2015200715.tif 000003
【図２】
2015200715.tif 000004
【図３】
2015200715.tif 000005
【図４】
2015200715.tif 000006
【図５】
2015200715.tif 000007
【図６】
2015200715.tif 000008
【図７】
2015200715.tif 000009
【図８】
2015200715.tif 000010
【図９】
2015200715.tif 000011